(57)【要約】【課題】勤務に関するデータに基づいて勤務者に対する身体的な負荷や心理的な満足度を客観的かつ総合的に評価可能とする勤務状態評価システムを提供する。【解決手段】シフトパターンデータと勤務データとを入力する入力部１０と、評価対象の勤務状態に関する評価を行う勤務状態評価演算処理部２０と、評価結果を出力する出力部３０とを備え、勤務状態評価演算処理部２０は、負荷評価項目における母集団の値と評価対象の値とから評価対象の負荷の妥当性を評価する負荷妥当性評価部２２ｂと、満足度評価項目における母集団の値と評価対象の値とから評価対象の満足度を評価する満足度評価部２２ｃと、負荷妥当性の評価と満足度の評価とに基づいて、評価対象の勤務に対する総合評価を行う総合評価部２２ｄと、総合評価結果を出力部３０により出力する出力制御部２３と、を備える勤務状態評価システムとした。【選択図】図１
2020095556.tif 000002
【特許請求の範囲】
【請求項１】
異なる勤務時間帯のシフト勤務を行う複数の勤務者の勤務に関するデータの入力部と、前記データに基づいて１または複数の前記勤務者を評価対象として、前記評価対象の勤務状態に関する評価を行う勤務状態評価演算処理部と、評価結果を出力する出力部とを備えた勤務状態評価システムであって、
前記入力部に入力するデータには、複数の勤務時間帯の種別を規定したシフトパターンデータと、前記勤務者の勤務開始時刻と勤務終了時刻を含む勤務データとが含まれ、
前記勤務状態評価演算処理部は、
前記データに基づいて、予め設定された複数の負荷評価項目における母集団の値と前記評価対象の値とから前記評価対象の負荷の妥当性を評価する負荷妥当性評価部と、
前記データに基づいて、予め設定された複数の満足度評価項目における前記母集団の値と前記評価対象の値とから前記評価対象の満足度を評価する満足度評価部と、
前記負荷妥当性評価部による負荷妥当性の評価と、前記満足度評価部による満足度の評価とに基づいて、前記評価対象の勤務に対する総合評価を行う総合評価部と、
前記総合評価部による総合評価結果を前記出力部により出力する出力制御部と、
を備える勤務状態評価システム。
【請求項２】
請求項１に記載の勤務状態評価システムにおいて、
前記データとして、勤務計画に基づくデータを用いる勤務状態評価システム。
【請求項３】
請求項１または請求項２に記載の勤務状態評価システムにおいて、
前記負荷妥当性評価部は、前記母集団の平均値に対する前記評価対象の値の偏差に基づいて前記負荷評価項目の評価を行う勤務状態評価システム。
【請求項４】
請求項１〜請求項３のいずれか１項に記載の勤務状態評価システムにおいて、
前記満足度評価部は、前記満足度評価項目として、前記母集団の平均値に対する前記評価対象の値の偏差に基づいて前記満足度評価項目の評価を行う勤務状態評価システム。
【請求項５】
請求項４に記載の勤務状態評価システムにおいて、
前記評価対象は、複数の前記勤務者の集団であり、
前記満足度評価部は、前記満足度評価項目として、勤務の公平性を指標とする項目を有し、前記母集団の分散と、前記評価対象の分散との偏差に基づいて前記公平性を評価する勤務状態評価システム。
【請求項６】
請求項３〜請求項５のいずれか１項に記載の勤務状態評価システムにおいて、
前記総合評価部は、前記負荷妥当性の偏差の平均と、前記満足度の偏差の平均とにより総合評価を行う勤務状態評価システム。
【請求項７】
請求項１〜請求項６のいずれか１項に記載の勤務状態評価システムにおいて、
前記負荷評価項目には、勤務時間、夜勤回数、夜勤連続回数、夜勤後休息、土日休回数、早朝出勤回数、連続勤務回数、逆循環回数、拘束時間のいずれかが含まれる勤務状態評価システム。
【請求項８】
請求項１〜請求項７のいずれか１項に記載の勤務状態評価システムにおいて、
前記満足度評価項目には、休日回数、勤務希望回数、勤務希望公平性、勤務変更回数、勤務変更公平性、夜勤回数公平性、夜勤回数、土日休公平性、休日公平性のいずれかが含まれる勤務状態評価システム。
【請求項９】
請求項１〜請求項８のいずれか１項に記載の勤務状態評価システムにおいて、
前記入力部に入力するデータに、職場の属性データと勤務者属性データとの少なくとも一方を含む特性データが含まれ、
前記負荷妥当性評価部と前記満足度評価部との少なくとも一方は、前記特性データに基づく評価を加える勤務状態評価システム。
【請求項１０】
異なる勤務時間帯のシフト勤務を行う複数の勤務者の勤務に関するデータであって、複数の勤務時間帯の種別を規定したシフトパターンデータと、前記勤務者の勤務開始時刻と勤務終了時刻を含む勤務データとを入力する入力部と、前記入力部に入力された前記データに基づいて１または複数の前記勤務者を評価対象として前記評価対象の勤務状態に関する評価を行う勤務状態評価演算処理部と、評価結果を出力する出力部とを備えた勤務状態評価システムにより実行される勤務状態評価プログラムであって、
前記勤務状態評価演算処理部に、
前記データに基づいて、予め設定された複数の負荷評価項目における母集団の値と前記評価対象の値とから前記評価対象の負荷の妥当性を評価するステップと、
前記データに基づいて、予め設定された複数の満足度評価項目における前記母集団の値と前記評価対象の値とから前記評価対象の満足度を評価するステップと、
前記負荷妥当性の評価結果と、前記満足度の評価結果とに基づいて、前記評価対象の勤務に対する総合評価を行うステップと、
前記総合評価の結果を前記出力部により出力するステップと、
を実行させる勤務状態評価プログラム。
【発明の詳細な説明】
【技術分野】
【０００１】
本開示は、勤務状態評価システム及び勤務状態評価プログラムに関するものである。
【背景技術】
【０００２】
従来、勤務者に対する労働環境を良好なものとするために、勤務者に対する勤務状態を評価して、勤務者に対する身体的負担や精神的負担を抑えることが図られている。このような技術として、例えば、勤務者が設問に対して解答してストレスの程度を診断するストレスチェックなどを行うことが知られている（特許文献１参照）。また、勤務実績により離職予測を行うものや（例えば、特許文献２参照）、シフト勤務実績と疲労度を可視化して管理するオペレータ作業実績可視化システム（例えば、特許文献３参照）などが提案されている。
【先行技術文献】
【特許文献】
【０００３】
【特許文献１】特開２０１６−２０７１６５号公報
【特許文献２】特開２０１６−１３６３８０号公報
【特許文献３】特開２０１８−４５４８１号公報
【発明の概要】
【発明が解決しようとする課題】
【０００４】
しかしながら、ストレスチェックは、勤務者個々の主観に基づくものであり、勤務者やその集団の勤務状態を客観的に評価することはできない。そのため、主観に基づくストレスチェックの評価結果を勤務計画に反映させた場合は、必ずしも好ましい勤務計画とならない。また、離職予測は、過去の離職者の実績によるものであり、その原因は、例えば報酬、待遇などの可能性もあり、必ずしも勤務負荷や勤務に対する満足度等の勤務状態によるものばかりではなく、勤務状態を客観的に評価するものではない。シフト勤務実績と疲労度とを可視化するものは、実際の作業時間に関する情報と、実際の検出した生体情報とを組み合わせるもので、勤務者の個々の特性に応じた勤務状態を評価可能である。しかしながら、勤務者が個々に心拍数や血圧などの生体情報取得バンドを装着する必要があり、システム構成が複雑であり、また、勤務に対する満足度のような心理的な要素を客観的に評価することができない。
【０００５】
さらに、勤務実績による勤務の積算などの評価では、絶対値としての負荷は求めることができるが、相対的な負荷の程度を評価するのが難しい。例えば、母集団としての職場が全体的に忙しい職場では、勤務者個々の負荷が高くなりがちである。このような場合、個々の負荷の偏りを判別するのが難しい。また、異なる部署間での負荷の偏りを判別するのも難しい。よって、職場状態の評価としては、相対的な評価も重要であるが、このような評価を行うものがなかった。
【０００６】
本開示の勤務状態評価システム及び勤務状態評価プログラムは、上記問題に着目してなされたもので、勤務に関するデータに基づいて、母集団に対する評価対象の身体的な負荷や心理的な満足度を客観的かつ総合的に評価可能とすることを目的とする。
【課題を解決するための手段】
【０００７】
本開示の勤務状態評価システムは、異なる勤務時間帯のシフト勤務を行う複数の勤務者の勤務に関するデータの入力部と、前記データに基づいて１または複数の前記勤務者を評価対象として、前記評価対象の勤務状態に関する評価を行う勤務状態評価演算処理部と、評価結果を出力する出力部とを備える。
そして、前記入力部に入力するデータには、複数の勤務時間帯の種別を規定したシフトパターンデータと、前記勤務者の勤務開始時刻と勤務終了時刻を含む勤務データとが含まれる。
さらに、前記勤務状態評価演算処理部は、
前記データに基づいて、予め設定された複数の負荷評価項目における母集団の値と前記評価対象の値とから前記評価対象の負荷の妥当性を評価する負荷妥当性評価部と、
前記データに基づいて、予め設定された複数の満足度評価項目における前記母集団の値と前記評価対象の値とから前記評価対象の満足度を評価する満足度評価部と、
前記負荷妥当性評価部による負荷妥当性の評価と、前記満足度評価部による満足度の評価とに基づいて、前記評価対象の勤務に対する総合評価を行う総合評価部と、
前記総合評価部による総合評価結果を前記出力部により出力する出力制御部と、
を備える。
【０００８】
また、本開示の勤務状態評価プログラムは、異なる勤務時間帯のシフト勤務を行う複数の勤務者の勤務に関するデータであって、複数の勤務時間帯の種別を規定したシフトパターンデータと、前記勤務者の勤務開始時刻と勤務終了時刻を含む勤務データとを入力する入力部と、前記入力部に入力された前記データに基づいて１または複数の前記勤務者を評価対象として前記評価対象の勤務状態に関する評価を行う勤務状態評価演算処理部と、評価結果を出力する出力部とを備えた勤務状態評価システムにより実行される勤務状態評価プログラムである。
そして、勤務状態評価プログラムは、前記勤務状態評価演算処理部に、前記データに基づいて、予め設定された複数の負荷評価項目における母集団の値と前記評価対象の値とから前記評価対象の負荷の妥当性を評価するステップと、前記データに基づいて、予め設定された複数の満足度評価項目における前記母集団の値と前記評価対象の値とから前記評価対象の満足度を評価するステップと、前記負荷妥当性の評価結果と、前記満足度の評価結果とに基づいて、前記評価対象の勤務に対する総合評価を行うステップと、前記総合評価の結果を前記出力部により出力するステップと、を実行させる。
【発明の効果】
【０００９】
本開示の勤務状態評価システム及び勤務状態評価プログラムでは、勤務に関するデータに基づいて、母集団に対する評価対象の身体的な負荷や心理的な満足度を客観的かつ総合的に評価することができる。
【図面の簡単な説明】
【００１０】
【図１】実施の形態１の勤務状態評価システムＡの全体システム図である。
【図２】勤務状態評価システムＡが入力する勤務データの一例を示す図である。
【図３】勤務状態評価システムＡが入力するシフトデータの一例を示す図である。
【図４】実施の形態１の勤務状態評価プログラムによる勤務状態評価演算処理部２０おける勤務状態評価処理の流れを示すフローチャートである。
【図５Ａ】勤務状態評価演算処理部２０により演算した負荷妥当性の評価結果の表示例を示す図である。
【図５Ｂ】勤務状態評価演算処理部２０により演算した満足度の評価結果の表示例を示す図である。
【図５Ｃ】勤務状態評価演算処理部２０により演算した総合評価の評価結果の表示例を示す図である。
【図６Ａ】勤務状態評価演算処理部２０における総合評価のランク分けの基準及びアドバイス表示部６１２に表示するアドバイスの内容と、総合評価、負荷妥当性の評価及び満足度の評価との関係を示す評価基準・アドバイス一覧図である。
【図６Ｂ】勤務状態評価演算処理部２０における負荷妥当性の評価のランク分けの基準及びアドバイス表示部６３２に表示するアドバイスの内容と、満足度の評価のランク分けの基準及びアドバイス表示部６４２に表示するアドバイスの内容との関係を示す評価基準・アドバイス一覧図である。
【図７】勤務状態評価演算処理部２０による評価結果の表示の他の例を示す図である。
【発明を実施するための形態】
【００１１】
以下、本開示の勤務状態評価システム及び勤務状態評価プログラムの実施の形態を、図面に基づいて説明する。
【００１２】
（実施の形態１）
本実施の形態１の勤務状態評価プログラムにより勤務状態評価を行う勤務状態評価システムＡは、図１に示すように、入力部１０、勤務状態評価演算処理部２０、出力部３０を備える。この勤務状態評価システムＡは、異なる勤務時間帯のシフト勤務を行う複数の勤務者からなる母集団において、複数の勤務者から成るグループあるいは勤務者個人を評価対象として勤務状態を評価するシステムである。
【００１３】
以下の説明において、勤務状態評価システムＡにより評価するシフト勤務の職場として病院を一例として示す。そして、病院内あるいは病棟内の複数の勤務者から成る母集団において、複数の勤務者から成るグループあるいは１人の勤務者を評価対象として勤務状態を評価する場合について説明する。なお、評価を行う対象となるシフト勤務の職場として、病院以外にも、工場、警察、消防署等の他の職場にも適用することができる。
【００１４】
まず、実施の形態１の勤務状態評価システムＡについて説明する前に、病院のシフト勤務の形態について説明する。図２は、病院の勤務データの一例としての勤務表４０を示し、図３は、病院のシフトデータの一例としてのシフトパターン表５０を示す。
【００１５】
図３に示すように、評価を行う病院のシフト勤務の形態（勤務パターン）として、日勤（図２では「日」と表示）、準夜勤（図２では「準」と表示）、深夜勤（図２では「深」と表示）、及び看護学生勤務（図３では「学」と表示）が設定されている。この例では、日勤は、８時３０分を勤務開始時刻とし、１７時３０分を勤務終了時刻とする勤務時間帯の勤務とする。また、準夜勤は、１６時３０分を勤務開始時刻とし、２５時３０分を勤務終了時刻とする勤務時間帯の勤務とする。深夜勤は、００時３０分を勤務開始時刻とし、９時３０分を勤務終了時刻とする勤務時間帯の勤務とする。看護学生勤務は、８時３０分を勤務開始時刻とし、２０時００分を勤務終了時刻とし、かつ、途中、看護学校に通う非勤務時間帯を有するもので、本実施の形態１では、この看護学生勤務は、評価対象に含まないものとして、図２のデータから除外している。また、図２に示す勤務データにおいて、「休」は、休日を示し、「有」は有給休暇を示す。
【００１６】
そして、本実施の形態１では、評価対象としての勤務者（グループを含む）の勤務負荷の妥当性や満足度（不満足度）が、病院全体の勤務者の負荷及び満足度と比較して、どの程度の負荷や満足度であるかを相対的に評価することを目的とする。さらに、具体的には、負荷の妥当性は、病院全体の勤務者の負荷の平均に対して、負荷が大きいか（不当か）、負荷が同等あるいは小さいか（妥当か）を評価する。同様に、満足度についても、病院全体の勤務者の平均等の基準になる値と比較して、相対的に高いか低いかにより評価する。
【００１７】
なお、夜勤専従の勤務者（「専」として示す）や、看護学生は、他の一般的な勤務者とは勤務形態が異なるため、評価対象から外して集計及び評価を行う。すなわち、この夜勤専従者や、看護学生の勤務データは、本実施の形態１では、勤務データとして用いないものとする。
【００１８】
さらに、図２に示す勤務データについて説明を加えると、勤務データには、氏名データ、属性データ、日付データ、勤務計画データ、希望データ、変更データが含まれる。なお、図２では各データを一覧表形式で示す。
【００１９】
日付データは、該当月の日付及び曜日を、日付欄４１に示す。氏名データは、勤務者の氏名であり、氏名データ欄４２に示す。
【００２０】
属性データは、資格や契約形態に関するデータであり、その一例を属性データ欄４３に示す。なお、資格として、看護師（「看」）、准看護師（「准」）、補助看護師（「補」）等の種別を示す。また、契約形態として、常勤（「常」）、非常勤（「非」）、兼任（「兼」）、夜勤専従（「専」）、事務（「事」）等の種別を示す。
【００２１】
勤務計画データは、評価の対象となる月である該当月よりも前に作成された勤務計画によるシフト勤務に関するデータであり、勤務計画データ欄４５に一例を示すもので、「日」「準」「深」「学」「休」「有」等のシフト勤務パターンを判別可能なデータである。
【００２２】
希望データは、勤務者が、勤務希望を提出した場合のシフト勤務及び休みの判別可能な勤務データであり、希望データ欄４４に一例を示す。この勤務希望は、例えば、有休、休日等の休みの取得の希望や、日勤、夜勤等の所定時間帯のシフト勤務の希望がある。また、この勤務希望は、勤務者が、勤務計画を作成する前に行うことを前提とするが、勤務計画の作成後に行うこともある。
【００２３】
変更データは、勤務者が、勤務計画によるシフト勤務とは異なるシフト勤務を行った場合の勤務データであり、変更データ欄４６に一例を示す。例えば、図２において氏名データ欄にＢＢと表記した勤務者は、１４日、１５日の勤務計画が準夜勤（「準」）、深夜勤（「深」）であったが、両日共に日勤（「日」）に変更した場合を示している。
【００２４】
なお、上述した勤務希望は、必ずしも、希望通りの勤務計画になるとは限らないとともに、希望通りの勤務計画となったとしても、実際に勤務計画通りの勤務を行うとは限らない。
【００２５】
勤務希望に関する具体例を以下に説明する。図２において氏名データ欄にＧＧと示す勤務者は、２５日、２６日、に有休を希望し、希望通りの勤務計画及び勤務実績となった例を示す。同様に、氏名データ欄にＪＪと示す勤務者は、６日、７日、に日勤を希望し、希望通りの勤務計画及び勤務実績となった例を示す。
【００２６】
一方、氏名データ欄にＣＣと示す勤務者は、２２日に有休（「有」）を希望し、勤務計画も有休（「有」）となっていたが、実際には日勤を行った場合を示す。また、氏名データ欄にＨＨと記載した勤務者は、１２日に日勤を希望し、１３日に有休を希望しているのに対し、勤務計画では、１２日に希望通りの日勤、１３日に希望とは異なる日勤となり、勤務実績では、１２日は希望及び勤務計画とは異なる有休となった例を示す。以上のように、勤務希望、勤務計画、勤務実績は、異なる場合がある。
【００２７】
次に、図１に示す勤務状態評価システムＡについて説明する。
入力部１０は、通信ネットワークＮＷに接続されている。なお、通信ネットワークＮＷは、いわゆるＬＡＮ（local area network）等の限定区域のネットワーク及び公衆回線等の広域ネットワークを含む。
【００２８】
そして、入力部１０は、図２に示す勤務データや図３に示すシフトデータを入力する。この入力は、通信ネットワークＮＷ等を介して入力することができる。例えば、勤務計画や勤務実績を作成及び記録したコンピュータやサーバ等の処理装置と、通信ネットワークＮＷと接続されている場合は、この通信ネットワークＮＷを介して入力する。また、データは、所定の記録媒体を用いて入力することもできる。あるいは、勤務状態評価システムＡが勤務計画を作成するプログラムや、勤務計画及び勤務実績を記録する記憶部を有する場合もあり、その場合は、入力部１０は、勤務状態評価システムＡに含まれるそれらのデータを記憶する記憶部から勤務データを入力する。
【００２９】
なお、勤務データは、勤務計画の場合、例えば、１か月、１週間等の所定期間単位で読み込む。また、勤務データとして勤務実績を用いる場合は、毎日、入力してもよいし、１か月、１週間等の所定期間単位で入力してもよい。なお、シフトデータは、１回入力して記憶すれば、各勤務時間帯の規定等に変更が無い限り、新たに読み込む必要はない。また、勤務データのうち、勤務希望に関する情報の入力は、管理者が入力する他にも、勤務者自身が、携帯端末などを用いて入力するようにしてもよい。
【００３０】
勤務状態評価演算処理部２０は、ＣＰＵ、ＲＡＭ、ＲＯＭを有したいわゆるコンピュータであり、実施の形態１の勤務状態評価プログラムに基づいて疲労度の蓄積を評価するための処理を行う。そして、この勤務状態評価演算処理部２０は、図１に示すように、データ蓄積部２１、評価演算部２２、出力制御部２３を備える。
【００３１】
データ蓄積部２１は、入力部１０が読み込んだ勤務データ及びシフトデータ等を記憶し蓄積する。なお、データ蓄積部２１は、いわゆるメモリであり、勤務データ及びシフトデータの他にも後述する演算した負荷妥当性の評価結果や満足度の評価結果及びその演算に使用した値等も蓄積する。
【００３２】
評価演算部２２は、母集団データ演算部２２ａ、負荷妥当性評価部２２ｂ、満足度評価部２２ｃ、総合評価部２２ｄを備える。そして、評価演算部２２は、勤務データ及びシフトデータに基づいて、所定期間の母集団に対する評価対象の勤務負荷妥当性に関する評価、満足度に関する評価を行い、さらに、両評価に基づいて、総合評価を行う。
【００３３】
母集団データ演算部２２ａは、母集団における後述する各評価項目のデータの平均値、偏差、分散、標準偏差等を求める。
【００３４】
負荷妥当性評価部２２ｂは、負荷妥当性を評価するために予め設定された後述する負荷評価項目に関し、母集団の平均値と評価対象の値との比較に基づいて負荷妥当性の評価を行う。この負荷妥当性の評価は、母集団の平均値を偏差値５０として、評価対象の値が母集団の平均よりも（偏差値が５０よりも）大きい場合を負荷妥当性が高い（妥当）と評価する。一方、評価対象の値が母集団の平均よりも（偏差値が５０よりも）低い場合を負荷妥当性が低い（不当）と評価するよう評価を行う。ここで、評価対象の値は、評価対象が個人の場合は、個人のデータの値であり、評価対象が複数の勤務者の集団である場合は、その集団の平均値を用いる。なお、詳細については、後述する。
【００３５】
満足度評価部２２ｃは、満足度を評価するために予め設定された後述する満足度評価項目に関し、母集団の値と評価対象の値との比較に基づいて、評価対象における満足度の程度を評価する。なお、詳細については、後述するが、満足度の評価には、上述した母集団の平均値を偏差値５０として大小の程度を比較するのに加え、評価対象が複数の勤務者から成る場合は、評価対象の分散値を、母集団の分散値と比較する公平性の評価も行う。
【００３６】
総合評価部２２ｄでは、負荷妥当性評価部２２ｂの負荷妥当性の評価結果と、満足度評価部２２ｃの満足度の評価結果とに基づいて、総合評価を行う。
【００３７】
そして、出力制御部２３は、負荷妥当性評価部２２ｂの負荷妥当性の評価結果と、満足度評価部２２ｃの満足度の評価結果と、総合評価部２２ｄにおける総合評価とを、出力部３０により出力する制御を行う。本実施の形態１では、出力部３０として、画面による表示を行うディスプレイ装置を用いるもので、図５Ａ、図５Ｂ、図５Ｃは、その出力例を示す。なお、この出力例の詳細については、後述する。
【００３８】
次に、図４に示すフローチャートに基づいて、勤務状態評価演算処理部２０による勤務状態評価の処理の流れを説明する。
【００３９】
まず、最初のステップＳ１０１では、入力部１０から、データ蓄積部２１にデータの読み込み及び蓄積を行う。このデータとしては、図２に示す勤務計画や勤務実績等の勤務データ及び図３に示すシフトパターンのデータであるシフトデータが含まれる。また、勤務実績としては、シフトパターンに沿った時間以外の残業時間や早退時間等の時刻データが含まれる。
【００４０】
次のステップＳ１０２では、評価演算部２２の母集団データ演算部２２ａにより、読み込んだ勤務データにおける各勤務者の各評価項目の値から、母集団のデータ値を演算する。この母集団のデータ値としては、平均値、偏差、分散、標準偏差を含む。
【００４１】
ステップＳ１０２に続く処理として、ステップＳ１０３ａ、Ｓ１０３ｂを並行して実行する。ステップＳ１０３ａでは、負荷妥当性評価部２２ｂにおいて、後述する複数の負荷評価項目に関し、評価対象の値と母集団の値との比較に基づいて評価対象の負荷妥当性の評価を行う。また、ステップＳ１０３ｂでは、満足度評価部２２ｃにおいて、後述する複数の満足度評価項目について、評価対象の値と母集団の値との比較に基づいて満足度の評価を行う。なお、これらの評価の詳細については後述する。
【００４２】
さらに、ステップＳ１０３ａ、Ｓ１０３ｂに続くステップＳ１０４では、総合評価部２２ｄにおいて、負荷妥当性の評価結果と満足度の評価結果とに基づいて、総合評価を行う。なお、この総合評価の詳細についても、詳細については後述する。
【００４３】
次のステップＳ１０５では、負荷妥当性の評価結果、満足度の評価結果、総合評価を、出力部３０に出力してディスプレイ装置の画面の表示部３００（図５Ａ、図５Ｂ、図５Ｃ参照）に表示する。
【００４４】
以下に、ステップＳ１０３ａ、Ｓ１０３ｂ、Ｓ１０４、Ｓ１０５にて行う処理を詳細に説明する。
【００４５】
まず、ステップＳ１０３ａの負荷妥当性評価部２２ｂによる負荷妥当性の評価について説明する。
【００４６】
この負荷妥当性評価部２２ｂにおいて評価に用いる負荷評価項目としては、図５Ａに示すように、勤務間隔、夜勤回数、連続夜勤回数、夜勤後休憩、土日休回数、早朝出勤回数、連続勤務回数、逆循環回数、拘束時間が含まれる。
【００４７】
勤務間隔は、勤務終了時刻と次の勤務開始時刻との間隔であり、この間隔が大きい方が勤務負荷は小さい。そこで、母集団データ演算部２２ａでは、該当月における母集団の勤務者の勤務間隔の平均値を求める。そして、負荷妥当性評価部２２ｂでは、母集団の平均値と評価対象の値と比較して、負荷妥当性の評価を行う。本実施の形態１では、以下の説明において、評価対象を、ある病棟の複数の勤務者から成る集団とするため、各病棟の平均値を偏差値５０として、評価対象の病棟の勤務者の集団の平均値の偏差値を求める。なお、評価対象が１人の勤務者（勤務者個人）の場合は、母集団を病院全体、あるいは、評価対象の勤務者が勤務する病棟とし、母集団の平均値に対して、評価対象の値の偏差値を求める。
【００４８】
そして、勤務間隔に関しては、評価対象の集団の平均値が母集団の平均値以上の場合に、負荷が低い（妥当）と評価し、評価ポイントＰ１１を偏差値が５０以上の位置に設定する。すなわち、評価ポイントＰ１１を、図５Ａにおいて点線により示す偏差値が５０の負荷妥当性基準チャート４１０の外側に設定する。なお、勤務間隔の評価対象の集団の平均値が母集団の平均値未満の場合は、負荷が高い（不当）と評価して、評価ポイントＰ１１を負荷妥当性基準チャート４１０の内側に設定する。
【００４９】
勤務間隔について、図５Ａに示す例では、評価対象の集団の平均値が母集団の平均値未満であり、評価ポイントＰ１１を、偏差値が５０未満の位置、すなわち、偏差が５０の負荷妥当性基準チャート４１０の内側に設定する。
【００５０】
夜勤回数は、勤務時間が、所定の夜間（例えば、２２：００〜５：００の間）にかかってシフト勤務を行った回数であり、この夜勤回数は少ない方が勤務負荷は低い。そこで、夜勤回数に関し、評価対象の勤務者の集団の平均値が母集団の平均値未満の場合に、負荷が低い（妥当）として、評価ポイントＰ１２を負荷妥当性基準チャート４１０の外側に設定する。図５Ａに示す例では、評価対象の勤務者の集団の平均値が母集団の平均値未満であり、評価ポイントＰ１２を負荷妥当性基準チャート４１０の外側の位置に設定する。
【００５１】
夜勤連続回数は、所定の夜間（例えば、２２：００〜５：００の間）のシフト勤務の連続回数であり、この夜勤連続回数は、少ない方が勤務負荷は低い。そこで、夜勤連続回数について、勤務者の集団の平均値が、母集団の平均値よりも小さい場合に、負荷が低い（妥当）として評価ポイントＰ１３を、偏差値５０以上、すなわち、負荷妥当性基準チャート４１０の外側の位置に設定する。夜勤連続回数について、図５Ａに示す例では、勤務者の集団の平均値が母集団の平均値と同じ値であり、評価ポイントＰ１３を、負荷妥当性基準チャート４１０の上に設定する。
【００５２】
夜勤後休息は、夜勤の終了時刻から次のシフト勤務の開始時刻までの時間であり、次のシフト勤務の開始時刻から、所定の夜間（例えば、２２：００〜５：００の間）のシフト勤務の終了時刻を差し引いた時間である。そして、夜勤後休息は、長い方が勤務負荷は低い。そこで、夜勤後休息について、評価対象の勤務者の集団の平均値が、母集団の平均値以上の場合、負荷が低い（妥当）と評価し、評価ポイントＰ１４を、偏差値５０以上の位置、すなわち、負荷妥当性基準チャート４１０の外側に設定する。図５Ａに示す例では、夜勤後休息について、評価対象の勤務者の集団の平均値が、母集団の平均値未満であり、負荷妥当性基準チャート４１０の内側に評価ポイントＰ１４を設定する。
【００５３】
土日休回数は、所定期間（例えば、１か月）において土日に勤務を休んだ回数であり、土日休回数は、多い方が勤務負荷は低い。そこで、土日休回数について、評価対象の勤務者の集団の平均値が、母集団の平均値以上の場合に、負荷が低い（妥当）として、評価ポイントＰ１５を、偏差値５０以上の位置、すなわち、負荷妥当性基準チャート４１０の外側に設定する。図５Ａに示す例では、土日休回数について、評価対象の勤務者の集団の平均値が、母集団の平均値以上であり、評価ポイントＰ１５を、負荷妥当性基準チャート４１０の外側に設定する。
【００５４】
早朝出勤回数は、早朝に出勤した回数であり、具体的には、シフト勤務の開始時刻が５：００〜７：００の勤務回数であり、この早朝出勤回数は、少ない方が勤務負荷は低い。そこで、早朝出勤回数について、評価対象の勤務者の集団の平均値が、母集団の平均値以下の場合、負荷が低い（妥当）として、偏差値が５０以上の位置に評価ポイントＰ１６を設定する。図５Ａに示す例では、評価対象の勤務者の集団の平均値が、母集団の平均値と同値であり、負荷妥当性基準チャート４１０の上に評価ポイントＰ１６を設定する。
【００５５】
連続勤務回数は、シフト勤務の連続の日数であり、連続勤務回数が少ない方が勤務負荷は低い。そこで、連続勤務回数について、所定期間（例えば、１か月）の評価対象の勤務者の集団の平均値が、母集団の平均値以下の場合に、負荷が低い（妥当）として、評価ポイントＰ１７を偏差値が５０以上の位置、すなわち、負荷妥当性基準チャート４１０の外側に設定する。図５Ａに示す例は、評価対象の勤務者の集団の平均値が、母集団の平均値以下の場合の例であり、評価ポイントＰ１７を、負荷妥当性基準チャート４１０の外側に設定する。
【００５６】
逆循環回数は、次のシフト勤務の開始時刻と、その前のシフト勤務開始時刻との間隔が、２４時間未満でシフト勤務を行った回数であり、逆循環回数は、少ない方が勤務負荷は低い。そこで、例えば、１か月の所定期間における評価対象の勤務者の集団の平均値が、母集団の平均値以下の場合に、偏差値が５０以上、すなわち、負荷が低い（妥当）として、評価ポイントＰ１８を、偏差値が５０以上の位置、すなわち、負荷妥当性基準チャート４１０の外側に設定する。図５Ａに示す例は、逆循環回数について、評価対象の勤務者の集団の平均値が母集団の平均値以上の場合の例であり、評価ポイントＰ１８を、負荷妥当性基準チャート４１０の内側に設定する。
【００５７】
勤務拘束時間は、勤務開始時刻から勤務終了時刻までの時間であり、勤務拘束時間が短い方が勤務負荷は低い。そこで、勤務拘束時間について、所定期間（例えば、１か月の所定期間）における評価対象の勤務者の集団の平均値が、母集団の平均値未満の場合に、負荷が低い（妥当）として、評価ポイントＰ１９を、偏差値が５０以上の位置、すなわち、負荷妥当性基準チャート４１０の外側に設定する。勤務拘束時間について、図５Ａに示す例は、評価対象の勤務者の集団の平均値が母集団の平均値未満の場合の例であり、評価ポイントＰ１９を、負荷妥当性基準チャート４１０の外側に設定する。
【００５８】
次に、ステップＳ１０３ｂの満足度評価部２２ｃによる満足度の評価について説明する。
この満足度評価部２２ｃにおける満足度評価項目としては、図５Ｂに示すように休日回数、勤務希望回数、勤務希望公平性、勤務変更回数、勤務変更公平性、夜勤回数公平性、夜勤回数、土日休公平性、休日公平性が含まれる。
【００５９】
休日回数は、例えば、１か月の所定期間における休日の回数であり、休日回数は、多い方が心理的に望ましく満足度が高い。したがって、評価対象の平均値が、母集団の平均値以上の場合に、偏差値が５０以上として、すなわち、満足度が高評価として満足度基準チャート５１０の外側に評価ポイントを設定する。図５Ｂに示す例では、評価対象の勤務者の平均値が、母集団の平均値を下回り、満足度が低いと判定して、評価ポイントＰ２１を偏差値５０未満の値、すなわち、満足度基準チャート５１０の内側に設定した例を示している。
【００６０】
勤務希望回数は、勤務者が所定の日に所望のパターンの勤務の（日勤、夜勤等の種別）を希望した回数であり、回数が多い方が、心理的な満足度は高い。そこで、所定期間、例えば、１か月の評価対象の平均値が、母集団の平均値以上の場合に、偏差値が５０以上として、すなわち、高評価の満足度として満足度基準チャート５１０の外側に評価ポイントＰ２２を設定する。図５Ｂに示す例では、評価対象の勤務者の平均値が、母集団の平均値を上回り、満足度が高いと判定して、評価ポイントＰ２２を偏差値５０以上の値、すなわち、満足度基準チャート５１０の外側に設定した例を示している。
【００６１】
勤務希望公平性は、勤務希望と勤務計画との不一致回数から一致回数を除算した数の標準偏差であり、評価対象の分散値が母集団の分散値以下で、偏差値を５０以上として、すなわち、満足度が高いとして満足度基準チャート５１０の外側に評価ポイントＰ２３を設定する。図５Ｂに示す例では、評価対象の勤務者の分散値と、母集団の分散値とが一致し、評価ポイントＰ２３を満足度基準チャート５１０の上に設定した例を示している。この公平性は、評価対象のばらつきの大きさを判定しており、要するに、ばらつきが少ない方が、対象となる集団において公平性が高いことを示し、高評価としている。
【００６２】
勤務変更回数は、勤務実績が勤務計画から変更になった回数（図２の変更データ欄４６の記入数）であり、このような勤務変更は、少ない方が、心理的な満足度は高い。したがって、所定期間、例えば、１か月の評価対象の集団の平均値が、母集団の平均値以下の場合に、偏差値が５０以上として、すなわち、満足度が高いとして満足度基準チャート５１０の外側に評価ポイントＰ２４を設定する。図５Ｂに示す例では、評価対象の集団の平均値が、母集団の平均値以上であり、評価ポイントＰ２４を満足度基準チャート５１０の内側に設定した例を示している。
【００６３】
勤務変更公平性は、所定期間、例えば、１か月の評価対象の集団の分散値が、母集団の分散値以下の場合に、偏差値が５０以上として、すなわち、満足度が高いとして満足度基準チャート５１０の外側に評価ポイントを設定する。図５Ｂに示す例では、評価対象の集団の分散値が、母集団の分散値以下で、満足度が高いとして評価ポイントＰ２５を満足度基準チャート５１０の外側に設定した例を示している。
【００６４】
夜勤回数公平性は、所定期間、例えば、１か月の評価対象の夜勤回数の分散値が、母集団の夜勤回数の分散値未満の場合に、偏差値が５０以上として、すなわち、満足度が高いとして満足度基準チャート５１０の外側に評価ポイントＰ２６を設定する。図５Ｂに示す例では、評価対象の夜勤回数の分散値が、母集団の夜勤回数の分散値と一致し評価ポイントＰ２６を満足度基準チャート５１０の上に設定した例を示している。
【００６５】
夜勤回数は、負荷妥当性の評価で説明したように、勤務時間が、所定の夜間（例えば、２２：００〜５：００の間）にかかってシフト勤務を行った回数であり、この夜勤回数は、少ない方が心理的な満足度は高い。そこで、評価対象の集団の平均値が、母集団の平均値以下の場合、偏差値が５０以上として、すなわち、満足度が高いとして満足度基準チャート５１０の外側に評価ポイントＰ２７を設定する。図５Ｂに示す例では、評価対象の集団の平均値が、母集団の平均値以下で満足度が高いとして評価ポイントＰ２７を満足度基準チャート５１０の僅かに外側に設定した例を示している。
【００６６】
土日休公平性は、所定期間、例えば、１か月間の評価対象の集団の土日休（土曜日または日曜日の休日）の回数の分散値が、母集団の土日休の回数の分散値未満の場合、偏差値が５０以上、すなわち、満足度が高いとして満足度基準チャート５１０の外側に評価ポイントＰ２８を設定する。図５Ｂに示す例では、評価対象の集団の土日休の回数の分散値が、母集団の土日休の回数の分散値評価以上で、評価ポイントＰ２８を満足度基準チャート５１０の内側に設定した例を示している。
【００６７】
休日公平性は、所定期間、例えば、１か月間の評価対象の集団の休日の回数の分散値が、母集団の休日の回数の分散値未満の場合、偏差値が５０以上として、すなわち、満足度が高いとして満足度基準チャート５１０の外側に評価ポイントＰ２９を設定する。図５Ｂに示す例では、評価対象の集団の休日の分散値が、母集団の休日の回数の分散値未満で評価ポイントＰ２９を満足度基準チャート５１０の外側に設定した例を示している。
【００６８】
次に、ステップＳ１０４の総合評価部２２ｄによる総合評価について説明する。
この総合評価を示す総合評価値は、負荷妥当性の評価結果である各評価項目の偏差値（評価ポイント）の平均値と、満足度の評価結果である各評価項目の偏差値（評価ポイント）の平均値とを、それぞれ２で割った値を合算した値（偏差平均値）とする。
【００６９】
次に、ステップＳ１０５の出力制御について説明する。
図５Ａは、出力制御による負荷妥当性の評価結果の表示例を示し、図５Ｂは出力制御による満足度の評価結果の表示例を示し、図５Ｃは出力制御による総合評価の表示例を示す。
【００７０】
図５Ａに示すように、負荷妥当性の評価結果は、負荷妥当性表示チャート４００を表示部３００に表示する。この負荷妥当性表示チャート４００は、負荷評価項目の数と同数の９個の頂点を有する正９角形の負荷妥当性基準チャート４１０（点線で表示）を有する。この負荷妥当性基準チャート４１０は、各負荷評価項目の偏差値を０〜７０で表示する基準軸４２１〜４２９の偏差値が５０の位置を結んで形成された正９角形を成す。そして、評価結果は、各負荷評価項目の評価対象の偏差値（評価ポイントＰ１１〜Ｐ１９）を結んだ負荷妥当性評価結果チャート４３０（実線で表示）により示す。前述したように、勤務負荷は、偏差値が５０よりも大きい方が負荷が少ない（妥当）ことを示す。よって、負荷妥当性評価結果チャート４３０は、負荷妥当性基準チャート４１０の外側が、負荷が妥当であることを示し、負荷妥当性基準チャート４１０の内側が、負荷が不当である（負荷が高い）ことを示す。
【００７１】
本実施の形態１では、評価対象をある病棟の勤務者の集団としており、母集団は、病院全体の勤務者であり、かつ、複数の病棟の各病棟の平均値を偏差値５０とした例を示している。したがって、図５Ａの負荷妥当性の表示例では、評価対象の病棟では、他の病棟と比較して、勤務間隔、夜勤後休息、逆循環回数による負荷が不当である（負荷が高い）ことが分かる。特に、逆循環回数による負荷が相対的に大きくなっているのが分かる。
【００７２】
そして、評価対象の病棟では、他の病棟と比較して、夜勤回数、土日休回数、連続勤務回数、拘束時間による負荷が低く妥当であり、特に、土日休回数による満足度が高いことが分かる。また、夜勤連続回数、早朝出勤回数による負荷については、他の病棟と同等であることが分かる。
【００７３】
このように、負荷妥当性の評価結果を示す負荷妥当性評価結果チャート４３０を、基準となる負荷妥当性基準チャート４１０と併せて表示するため、負荷妥当性基準チャート４１０の内外のいずれに位置するかで、各負荷評価項目の負荷妥当性を直感的に把握できる。さらに、各基準軸４２１〜４２９における評価ポイントＰ１１〜Ｐ１９と、負荷妥当性基準チャート４１０との間隔により、負荷の妥当性（不当性）の程度を直感的に認識することができる。
【００７４】
次に、出力制御による満足度の評価結果を、図５Ｂの表示例に基づいて説明する。
図５Ｂに示すように、満足度の評価結果は、満足度表示チャート５００を表示部３００に表示する。この満足度表示チャート５００は、負荷妥当性表示チャート４００と同様に、各満足度評価項目の偏差値を０〜７０で表示する基準軸５２１〜５２９の偏差値が５０の位置を結んで形成された正９角形の点線で示す満足度基準チャート５１０を有する。そして、評価結果は、各満足度評価項目の偏差値（評価ポイントＰ２１〜Ｐ２９）を結んだ満足度評価結果チャート５３０（実線で示す）により示す。すなわち、満足度評価結果チャートは、各満足度評価項目において、満足度基準チャート５１０よりも外側に評価ポイントが位置すれば、満足度が良好であることを示し、満足度基準チャート５１０よりも内側に評価ポイントが位置すれば、満足度が不当（不足）であることを示す。
【００７５】
したがって、図５Ｂの満足度の表示例では、評価対象の病棟では、他の病棟に対し、休日回数、勤務変更回数、土日休公平性の満足度が低いことが分かる。また、評価対象の病棟では、他の病棟に対し、勤務希望回数、勤務変更公平性、夜勤回数、休日公平性の満足度が高く、勤務希望公平性、夜勤回数公平性の満足度が、他の病棟と同等であることが分かる。
【００７６】
このように、満足度についても、満足度の評価結果を示す満足度評価結果チャート５３０を、基準となる満足度基準チャート５１０と併せて表示するため、満足度基準チャート５１０の内外のいずれに位置するかにより、各負荷評価項目の満足度を直感的に把握できる。さらに、各基準軸５２１〜５２９における評価ポイントＰ２１〜Ｐ２９と、満足度基準チャート５１０との距離により、満足度（不満足度）の程度を直感的に認識することができる。
【００７７】
次に、図５Ｃに示す総合評価の表示例について説明する。
総合評評価の表示は、表示部３００において、総合評価表示画面６００を用いて表示する。この総合評価表示画面６００は、総合評価表示部６１０、前月・当月比較表示部６２０、負荷妥当性評価表示部６３０、満足度評価表示部６４０を備える。
【００７８】
総合評価表示部６１０は、総合評価ランクを、Ａ〜Ｄの４段階のランクで表示するランク表示部６１１と、総合評価に基づいて改善を図るためのアドバイスを表示するアドバイス表示部６１２とを備える。
【００７９】
ランク表示部６１１にて表示するランクは、図６Ａの評価基準・アドバイス一覧図に示すように、総合評価値（偏差平均値）に基づいてＡ〜Ｄの４ランクに分類する。すなわち、総合評価値が６０以上でＡランク、５０〜５９の範囲内でＢランク、４０〜４９の範囲内でＣランク、３９以下でＤランクに分類する。
【００８０】
また、アドバイス表示部６１２による表示は、総合評価のランク、負荷妥当性の偏差の平均値、満足度の偏差の平均値の組み合わせにより、予め設定されたアドバイスを表示する。この表示するアドバイスは、図６Ａにも示すが、以下の通りである。なお、以下の表示は、病棟の管理者に対するアドバイスである。
【００８１】
総合評価がＡランクの場合は、「あなたの病棟の働き方にはまったく問題がないようです。負荷も低く、満足度も高い最高の状態と言えます。この状態を維持できるように頑張ってください。」と表示する。
【００８２】
総合評価がＢランクであり、かつ、負荷妥当性の評価負荷妥当性の偏差の平均値、満足度の偏差の平均値が共に、５０以上の場合は「あなたの病棟の働き方には問題はみられないようです。今のところ大きな心配はありませんが、特定の個人に負荷が寄ってしまわないように日頃から注意を払いましょう。」と表示する。
【００８３】
総合評価がＢランクであり、負荷妥当性の偏差の平均値が５０未満の場合は「あなたの病棟の働き方には大きな問題はみられないようです。ただ、全体的に負荷が高くなっている傾向があるため、注意が必要です。」と表示する。
【００８４】
総合評価がＢランクであり、満足度の偏差の平均値が５０未満の場合は「あなたの病棟の働き方には大きな問題はみられないようです。ただ、全体的に満足度が低くなっている傾向があるため、注意が必要です。」と表示する。
【００８５】
総合評価がＣランクであり、負荷妥当性の偏差の平均値、満足度の偏差の平均値が共に５０未満の場合は「あなたの病棟の働き方には少し問題があるようです。全体的に負荷が高く、満足度も低い傾向にあります。ガイドラインを参考に、働き方の見直しを検討してください。」と表示する。なお、ガイドラインとしては、公益社団法人日本看護協会（ＪＮＡ）のガイドラインを用いるのが好ましい。
【００８６】
総合評価がＣランクであり、負荷妥当性の偏差の平均値が５０以上の場合は「あなたの病棟の働き方には少し問題があるようです。特に満足度が低い傾向にあり、今後問題が発生する可能性があります。休暇を適切に取らせるなど対策を講じましょう。」と表示する。
【００８７】
総合評価がＣランクであり、満足度の偏差の平均値が５０以上の場合は「あなたの病棟の働き方には少し問題があるようです。特に負荷が高い傾向にあり、今後問題が発生する可能性があります。ＪＮＡガイドラインを参考に、働き方の見直しを検討してください。」と表示する。
【００８８】
総合評価がＤランクの場合は「あなたの病棟の働き方には大きな問題があるようです。負荷がとても高く、満足度も非常に低いため危険な状態と言えます。ＪＮＡガイドラインを参考に、早急に見直しを行ってください。」と表示する。
【００８９】
図５Ｃに戻り、前月・当月比較表示部６２０は、当月評価表示部６２１と前月評価表示部６２２とを備える。当月評価表示部６２１は、横方向の棒グラフにより、その全長で総合評価の偏差を表し、棒グラフの左半分で負荷妥当性の評価（偏差値）を表し、棒グラフの右半分で満足度の評価（偏差値）を表す。
【００９０】
前月評価表示部６２２は、当月評価表示部６２１と同様に、横方向の棒グラフにより、その全長で総合評価の偏差値を表し、棒グラフの左半分で負荷妥当性の評価（偏差）を表し、棒グラフの右半分で満足度の評価（偏差値）を表す。
【００９１】
負荷妥当性評価表示部６３０は、該当月の負荷妥当性のランクを示すランク表示部６３１と、負荷妥当性に関するアドバイスを表示するアドバイス表示部６３２とを備える。負荷妥当性のランクも、総合評価と同様にＡ〜Ｄの４ランクに分けて表示する。このランク分けは、総合評価と同様に、評価値（各項目の偏差値の平均値）によりランク分けするもので、すなわち、図６Ａに示すように、負荷妥当性評価値が６０以上でＡランク、５０〜５９の範囲内でＢランク、４０〜４９の範囲内でＣランク、３９以下でＤランクに分類する。
【００９２】
また、アドバイス表示部６３２に表示するアドバイスは、負荷妥当性のランクに応じて設定されている。図６Ｂに示すように、負荷妥当性がＡランクの場合「まったく問題ありません。この状態を維持しましょう。」と表示する。負荷妥当性がＢランクの場合「負荷の偏りも少なく、現状は問題ないようです。」と表示する。負荷妥当性がＣランクの場合「負荷が少し高い傾向にあります。シフトの見直しが必要です。」と表示する。負荷妥当性がＤランクの場合「負荷が非常に高くなっており、危険な状態です。早急に改善が必要です。」と表示する。
【００９３】
満足度評価表示部６４０は、該当月の満足度のランクを示すランク表示部６４１と、満足度に関するアドバイスを表示するアドバイス表示部６４２とを備える。満足度のランクも、総合評価と同様にＡ〜Ｄの４ランクに分けて表示する。このランク分けは、総合評価と同様に、評価値（各項目の偏差値の平均値）によりランク分けするもので、図６Ｂに示すように、満足度評価値が６０以上でＡランク、５０〜５９の範囲内でＢランク、４０〜４９の範囲内でＣランク、３９以下でＤランクに分類する。
【００９４】
また、アドバイス表示部６４２に表示するアドバイスは、満足度のランクに応じて設定されている。満足度がＡランクの場合「まったく問題ありません。この状態を維持しましょう。」と表示する。満足度がＢランクの場合「満足度の偏りも少なく、現状は問題はないようです。」と表示する。満足度がＣランクの場合「満足度が少し低い傾向にあります。休暇の取得や夜勤労働に偏りが出ないように注意しましょう。」と表示する。満足度がＤランクの場合「満足度が著しく低く、危険な状態です。早急に改善が必要です。」と表示する。
【００９５】
以上のように、総合評価表示部６１０により、該当月の総合評価及び改善するためのアドバイスを知ることができる。そして、前月・当月比較表示部６２０により、該当月の総合評価における負荷妥当性と満足度とのバランスを知ることができるとともに、これらの評価結果を前月の評価結果と一目で比較することができる。この比較により、負荷と満足度とのいずれを改善すべきか、あるいは、両方を改善すべきか、一目で把握することができる。
【００９６】
また、前月・当月比較表示部６２０により負荷と満足度とのいずれを改善すべきかを認識した際に、負荷妥当性評価表示部６３０と満足度評価表示部６４０のランク表示及びアドバイスの表示を確認することにより、さらに、具体的な改善の方向性を的確に知ることができる。
【００９７】
（実施の形態の解決課題）
以下に、実施の形態が解決する課題について改めて説明する。
従来の設問に回答する形式のストレスチェックは、勤務者の主観的な評価に基づくものであり、勤務者に対する負荷や、勤務の満足度等を客観的に評価することが難しい。例えば、主観的な評価が平等になるように勤務計画を立てても、実際の勤務時間や勤務負荷が平等になるとは限らない。
【００９８】
また、勤務実績による勤務負荷に注目して勤務負荷の評価を行うものの場合、勤務実績だけでは、心理的な要因の負荷を考慮ができず、身体的、心理的に公平となる勤務計画を立てたり、勤務実績を評価したりするのが難しい。例えば、心理的な要因の負荷は、例えば、勤務希望が叶えられたか否かで異なったり、勤務時間の中で、早出勤務、連続深夜勤務等の心理的に負担が大きい勤務時間の割合が大きいか否かで異なったり、夜勤の回数等によって異なったりする。したがって、単に勤務時間を積算するものでは、このような心理的な要因による負荷や、満足、不満足の程度を客観的かつ高精度に評価することができない。そして、客観的で正確な評価が行うことができない場合、勤務負担、疲労、不満足度の原因を分析し、勤務計画の改善を図るのが難しい。
【００９９】
さらに、負荷や満足度は、個人的なものと、全体的なものがある。例えば、全体的に負荷が大きな職場環境では、各人の満足度も低く、このような環境で、個々の負荷や満足度を演算やアンケートにより求めても、勤務者の多くの負荷が高いという結果や、勤務者の多くが不満足という結果しか得られず、改善策を見つけにくい。
【０１００】
このような場合、職場の中で、評価対象の負荷や満足度が相対的にどの程度であるかを客観的、かつ、高精度に把握する必要がある。本実施の形態１の勤務状態評価システム及び勤務状態評価プログラムは、この目的を達成するものである。
【０１０１】
（実施の形態１の作用）
以下に、実施の形態１の作用を説明する。なお、前述したように、実施の形態１では、勤務データとして、１カ月分の勤務計画、勤務実績、勤務希望のデータを入力し、病院全体の勤務者を母集団とし、ある病棟の勤務者の集団を評価対象として負荷妥当性、満足度を評価した場合について説明する。
【０１０２】
例えば、評価対象の病棟の管理者は、病院全体及び評価対象の病棟の勤務希望を含む勤務計画及び勤務実績のデータを実施の形態１の勤務状態評価システムＡに入力して、該当月の負荷妥当性及び満足度を評価することができる。
【０１０３】
このような評価は、翌月の勤務計画を立てる際に、前月の各評価を参照し、改善を図ることができる。ここで、図５Ｃに示す総合評価表示画面６００を表示することにより、勤務状態の総合評価の評価結果を参照することができる。この時、例えば、総合評価がＣランクやＤランクの場合、アドバイス表示部６１２の表示を参考にして改善を図ることができる。さらに、この際、図５Ａに示す負荷妥当性表示チャート４００及び図５Ｂに示す満足度表示チャート５００における各評価項目の評価ポイントＰ１１〜Ｐ１９、Ｐ２１〜Ｐ２９の位置と、各基準チャート４１０、５１０との比較により、より具体的な改善項目を知ることができる。
【０１０４】
同様に、管理者は、翌月の勤務計画を作成した際に、データとして、新規に作成した翌月の勤務計画のデータを入力して、勤務計画が望ましいものか否かを、病院全体の勤務計画と比較して確認することができる。なお、この場合、勤務希望公平性、勤務変更回数、勤務変更公平性等の勤務実績が必要な項目については、評価を行わず、例えば、偏差値５０という評価にする。
【０１０５】
このように、翌月の勤務計画を入力した際には、図５Ｃに示す総合評価表示画面６００の表示内容に従って、修正して勤務計画を作成し直すことができる。この場合も、図５Ａに示す負荷妥当性表示チャート４００及び図５Ｂに示す満足度表示チャート５００における各評価項目の評価ポイントＰ１１〜Ｐ１９、Ｐ２１〜Ｐ２９の位置と、各基準チャート４１０、５１０との比較により、より具体的な改善項目を知ることができる。このように勤務計画を修正することで、より望ましい勤務計画を作成することができる。
【０１０６】
（実施の形態１の効果）
以下に、実施の形態１の勤務状態評価プログラムを実行する勤務状態評価システムＡの効果を列挙する。
【０１０７】
（１）実施の形態１の勤務状態評価システムＡは、異なる勤務時間帯のシフト勤務を行う複数の勤務者の勤務に関するデータの入力部１０と、入力したデータに基づいて１または複数の前記勤務者を評価対象として、評価対象の勤務状態に関する評価を行う勤務状態評価演算処理部２０と、評価結果を出力する出力部３０とを備える。
そして、入力部１０に入力するデータには、複数の勤務時間帯の種別を規定したシフトパターンデータと、勤務者の勤務開始時刻と勤務終了時刻を含む勤務データとが含まれる。
さらに、勤務状態評価演算処理部２０は、データに基づいて、予め設定された複数の負荷評価項目における母集団の値と評価対象の値とから評価対象の負荷の妥当性を評価する負荷妥当性評価部２２ｂと、データに基づいて、予め設定された複数の満足度評価項目における母集団の値と評価対象の値とから評価対象の満足度を評価する満足度評価部２２ｃと、負荷妥当性評価部２２ｂの負荷妥当性評価と、満足度評価部２２ｃの満足度評価とに基づいて、評価対象の勤務に対する総合評価を行う総合評価部２２ｄと、総合評価部２２ｄによる総合評価結果を出力部３０により出力する出力制御部２３と、を備える。
【０１０８】
したがって、勤務に関するデータに基づいて、評価対象の勤務者の身体的な負荷に加え、心理的な満足度を、母集団全体の勤務者の負荷及び満足度と相対的に比較して、評価対象の勤務状態を客観的かつ総合的に評価することができる。例えば、母集団の勤務者が全体的に忙しく負荷が大きい職場環境では、評価対象の負荷の絶対値がある程度大きい場合でも、母集団との相対評価では負荷を妥当と評価する場合もある。また、母集団の勤務者の満足度が全体的に低い環境では、評価対象の満足度がある程度低い場合でも、評価対象における相対的な満足度は低くならない場合もある。このように、評価対象の絶対値としての負荷や満足度の評価ではなく、母集団における負荷や満足度との相対的な評価を行うことで、母集団の勤務環境における公平性を考慮した勤務状態を評価する新規な評価システムを提供することができる。
【０１０９】
すなわち、絶対値としての負荷や満足度は、例えば、その時点での人員が不足している場合、評価対象の全員の評価が、負荷が過大、満足度が低いという評価結果となる可能性がある。このような場合、原因の分析が難しく改善を図ることが難しい。本実施の形態１では、そのような勤務環境の中であっても、母集団に対する負荷の偏りや満足度の偏りの有無を客観的、かつ、高精度に評価することができ、これにより、適切な改善を図ることが可能となる。
【０１１０】
さらに、負荷妥当性に加え勤務に対する充足度等による満足度も併せて客観的に評価して総合評価を行うため、単にシフト勤務時間を時系列で単に積算して負荷を求めるもの等と比較して、より詳細に勤務状態を評価することができる。
【０１１１】
（２）実施の形態１の勤務状態評価システムＡは、データとして、勤務計画に基づくデータを用いて評価を行うことができる。
したがって、勤務計画を作成した段階で、負荷の高さ、偏りの有無や、満足度の高さ、偏りの有無の評価をシミュレーションとして用いることができる。よって、評価結果を参考に勤務計画の見直しを行って、負荷が過大となったり、偏ったり、満足度が低くなったり、偏ったりすることの無い勤務計画を作成することが可能である。
【０１１２】
（３）実施の形態１の勤務状態評価システムＡは、負荷妥当性評価部２２ｂは、母集団の平均値に対する評価対象の値の偏差に基づいて負荷評価項目の評価を行う。
【０１１３】
したがって、評価対象の負荷の妥当性の評価を、母集団の平均値との偏差に基づいて行うことで、単純な演算により、母集団との相対的な負荷の妥当性を客観的に評価することができる。
【０１１４】
（４）実施の形態１の勤務状態評価システムＡは、満足度評価部２２ｃは、満足度評価項目として、母集団の平均値に対する評価対象の値の偏差に基づいて満足度評価項目の評価を行う。
【０１１５】
したがって、評価対象の満足度の評価を、母集団の平均値との偏差を用いることで、単純な演算により、母集団に対する相対的な満足度を客観的に評価することができる。
【０１１６】
（５）実施の形態１の勤務状態評価システムＡは、評価対象は、複数の前記勤務者の集団とする。そして、満足度評価部２２ｃは、満足度評価項目として、勤務の公平性を指標とする項目である、勤務希望公平性、勤務変更公平性、夜勤回数公平性、土日休公平性、休日公平性を有し、母集団の分散と、評価対象の分散との偏差に基づいて各公平性を評価する。
【０１１７】
したがって、評価対象の満足度の公平性を、母集団の分散と評価対象の分散との偏差を用いることで、単純な演算により、公平性を客観的に評価することができる。
【０１１８】
（６）実施の形態１の勤務状態評価システムＡの総合評価部２２ｄは、負荷妥当性の偏差の平均と、満足度の偏差の平均とにより総合評価を行う。
【０１１９】
したがって、勤務状態として、負荷妥当性と満足度とのバランスを、認識することができる。
【０１２０】
（７）実施の形態１の勤務状態評価システムＡは、負荷評価項目には、勤務時間、夜勤回数、夜勤連続回数、夜勤後休息、土日休回数、早朝出勤回数、連続勤務回数、逆循環回数、拘束時間のいずれかが含まれる。
【０１２１】
したがって、病院などのシフト勤務において、評価対象における負荷を高精度で評価することができる。また、上記の項目が多ければ多い程、高精度で負荷を評価することができる。
【０１２２】
特に、本実施の形態１では、勤務時間、夜勤回数、夜勤連続回数、夜勤後休息、土日休回数、早朝出勤回数、連続勤務回数、逆循環回数、拘束時間の全てを負荷評価項目としている。これにより、勤務者の負荷に影響を与える身体的要因となる勤務の頻度や時間を詳細に把握して、負荷の妥当性をきめ細かに評価できる。そして、負荷妥当性に偏りがある場合、その原因の分析を詳細にでき、その改善を的確に図ることができる。
【０１２３】
（８）実施の形態１の勤務状態評価システムＡは、満足度評価項目には、休日回数、勤務希望回数、勤務希望公平性、勤務変更回数、勤務変更公平性、夜勤回数公平性、夜勤回数、土日休公平性、休日公平性のいずれかが含まれる。
【０１２４】
したがって、病院などのシフト勤務において、評価対象における満足度を高精度で評価することができる。また、上記の項目が多ければ多い程、高精度で満足度を評価することができる。
【０１２５】
特に、本実施の形態１では、休日回数、勤務希望回数、勤務希望公平性、勤務変更回数、勤務変更公平性、夜勤回数公平性、夜勤回数、土日休公平性、休日公平性の全てを満足度評価項目としている。これにより、勤務者の満足度に影響を与える心理的要因となる勤務に関する回数や公平性をきめ細かく評価できる。従来、勤務希望回数、勤務希望公平性、勤務変更回数、勤務変更公平性、土日休公平性、休日公平性等に細かに着目して、心理的な満足度を客観的に評価するものが無かったが、本実施の形態１では、このような細かな分析、評価が可能である。そして、このような細かな分析を行うため、仮に満足度に偏りがある場合、その原因を正確に把握し、その改善を的確に図ることができる。
【０１２６】
（９）実施の形態１の勤務状態評価プログラムは、異なる勤務時間帯のシフト勤務を行う複数の勤務者の勤務に関するデータであって、複数の勤務時間帯の種別を規定したシフトパターンデータと、勤務者の勤務開始時刻と勤務終了時刻を含む勤務データとを入力する入力部１０と、入力部１０に入力されたデータに基づいて１または複数の勤務者を評価対象として評価対象の勤務状態に関する評価を行う勤務状態評価演算処理部２０と、評価結果を出力する出力部３０とを備えた勤務状態評価システムＡにより実行される勤務状態評価プログラムであって、
勤務状態評価演算処理部２０に、
データに基づいて、予め設定された複数の負荷評価項目における母集団の値と評価対象の値とから評価対象の負荷の妥当性を評価するステップＳ１０３ａと、
データに基づいて、予め設定された複数の満足度評価項目における母集団の値と評価対象の値とから評価対象の満足度を評価するステップＳ１０３ｂと、
負荷妥当性の評価結果と、満足度の評価結果とに基づいて、評価対象の勤務に対する総合評価を行うステップＳ１０４と、
総合評価の結果を出力部３０により出力するステップＳ１０５と、
を実行させる。
【０１２７】
したがって、上記（１）で述べたように、評価対象の身体的及び心理的な勤務状態を客観的かつ総合的に評価することができる。また、評価対象の絶対的な負荷や満足度の評価ではなく、母集団における負荷や満足度との相対的な比較を行うことで、母集団の勤務環境における公平性を考慮した勤務状態を評価する新規なプログラムを提供することができる。
【０１２８】
以下に、他の実施の形態の勤務状態評価システム及び勤務状態評価プログラムについて説明する。なお、他の実施の形態の勤務状態評価システム及び勤務状態評価プログラムについて説明するのにあたり、相互に共通する構成要素には共通する符号を付けて説明を省略する。
【０１２９】
（実施の形態２）
実施の形態２は、総合評価の表示の仕方として、実施の形態１とは異なる表示の仕方を用いた例である。
【０１３０】
出力部３０の表示部３００における図７に示す総合評価表示画面７００は、評価対象病棟表示欄７１０、年度表示欄７２０、月表示欄７３０、比較チャート表示部７４０を備える。
【０１３１】
評価対象病棟表示欄７１０は、評価対象となる病棟を表示する。年度表示欄７２０は、評価を行う勤務データの該当年度を表示する。月表示欄７３０は、評価を行う勤務データの該当月を表示する。
【０１３２】
比較チャート表示部７４０は、負荷の妥当性の高低を表す縦軸と、満足度の高低を表す横軸とを備える。そして、評価対象の病棟の総合評価を、図において丸枠印により示し、太い実線が該当月の総合評価を示し、二点鎖線が前月の総合評価を示し、点線が年間平均の総合評価を示す。また、病院全体の総合評価を、図において正方形枠印により示し、太い実線が該当月の総合評価を示し、二点鎖線が前月の総合評価を示し、点線が年間平均の総合評価を示す。
【０１３３】
なお、この例では、評価対象の病棟の総合評価の表示は、横軸と縦軸との交点ＰＩは、母集団である病院の負荷妥当性及び満足度の平均値（偏差値５０）とする。また、病院の総合評価は、交点ＰＩは、複数の病院の負荷妥当性及び満足度の平均値（偏差値５０）とする。
【０１３４】
この実施の形態２による総合評価表示画面７００の表示では、評価対象となる病棟の負荷妥当性及び満足度の総合評価を、該当する病棟の前月や年間の総合評価や、病院の総合評価と、直観的に比較し把握することができる。
（実施の形態３）
次に、実施の形態３の勤務状態評価プログラムにより勤務状態評価を行う勤務状態評価システムについて説明する。
【０１３５】
実施の形態３は、負荷妥当性評価部２２ｂ及び満足度評価部２２ｃにおける負荷妥当性及び満足度の評価に用いるデータとして、職場の属性データ及び勤務者属性データを含む特性データを加え、評価に特性データによる分析や補正を加えるようにした例である。
【０１３６】
職場属性データ項目としては、病床種別、病棟の病床数、病床数に対する看護師配置の割合、患者の重症度が含まれる。すなわち、病床種別、病棟の病床数、病床数に対する看護師の適正な配置の割合が異なっており、また、それにより１日に必要な夜勤人数も異なる。
【０１３７】
したがって、病棟における看護師の数が同じであっても、上記の職場属性データ項目の違いにより負荷を与える影響が大きく、負荷妥当性が異なる。そこで、上記の項目における看護師の適正な配置の割合が大きい職場属性データ項目におけるデータ値は、負荷を大きくする側に補正する。例えば、病床種別において、適正な配置の割合が大きく相対的に負荷が大きい種別の勤務者の拘束時間は、１よりも大きな係数を乗じたり、補正値を加算したりして、適正な配置の割合が小さく負荷が小さい種別の勤務者のデータ値と、負荷が同等となるように補正する。あるいは、病棟間の比較を行うにあたっては、母集団を同一の条件の病棟として、これらの病棟間で比較を行うことでも、負荷の妥当性をよりきめ細かに確認できる。
【０１３８】
また、勤務者属性データ項目において勤務に関する属性データとして、契約形態、資格、経験年数、通勤時間、夜勤希望の度合い等の勤務属性を含む。例えば、資格、経験年数、契約形態の違いにより、同じ勤務に対する負担が異なる。具体的には、相対的に上位の資格や経験年数が長い勤務者の方が、相対的に低位の資格や経験年数が短い勤務者よりも、同じシフト勤務でも、相対的に負荷が低い場合がある。あるいは、逆に、勤務状況によっては、上位の資格者や経験年数が長い勤務者の方が、同じシフト勤務であっても、責任や負荷が大きな勤務を担当し、負荷が高い場合もある。
【０１３９】
したがって、資格、経験年数、契約形態の違いと、それに応じた負荷妥当性の評価が行えるように各負荷評価項目のデータ値に補正を加え、負荷の妥当性をよりきめ細かに確認できる。
【０１４０】
同様に、通勤時間についても、相対的に通勤時間が長い勤務者の負荷は、相対的に通勤時間が短い勤務者の負荷に対して負荷が大きいため、負荷評価項目のデータ値に対して通勤時間に応じて通勤時間が長い勤務者のデータ値が相対的に大きくなるように補正を行うことで、負荷の妥当性をよりきめ細かに確認できる。また、夜勤希望の度合いについても、夜勤希望の度合いが低い勤務者は、夜勤希望の高い勤務者に対して夜勤による負荷が相対的に高くなると考えられるため、負荷評価項目において夜勤に関するデータ値に対して、夜勤希望の度合いが低い勤務者の値が大きくなるように補正することで、負荷の妥当性をよりきめ細かに確認できる。
【０１４１】
さらに、勤務者属性データ項目において個人に関する属性データとして、性別、年齢、婚姻状況、子供の有無、介護者の有無等を含む。例えば、勤務者の子供の有無は、満足度評価項目である土日休回数、土日休公平性に影響する。具体的には、子供を有する勤務者の土日休の満足度は、子供を持たない勤務者の土日休の満足度よりも高くなる。よって、勤務データの集計を行う際に、子供の有無により勤務者を分けることで、満足度の評価をより細かに確認することができる。あるいは、負荷評価において、子供を有する勤務者の土日休回数の値を実際値よりも少ない側（負荷を大きくする側）に補正してもよい。
【０１４２】
また、性別、年齢、婚姻状況、介護者の有無によっても、負荷妥当性や満足度が異なる項目について、補正を行ったり、集計を分けたりすることで、負荷妥当性の評価や、満足度の評価を精度の高いものとすることができる。例えば、年齢として、中間層の勤務者は、その上下の年齢層と比較して、同じデータに対して、相対的に負荷が低くなるように、かつ、満足度が高くなるような補正を加えることで、より正確な評価を行うことができる。また、独身者は、既婚者に比べ、相対的に負荷が低くなるように、かつ、満足度が高くなるような補正を加えることで、より正確な評価を行うことができる。逆に、介護者を有する勤務者に対して、相対的に負荷が高くなるように、かつ、満足度が低くなるような補正を加えることで、より正確な評価を行うことができる。また、業務内容により、性別により、負荷や満足度が異なる場合、それに応じた補正を加えることができる。
【０１４３】
なお、上述の職場属性データや勤務者属性データにおいて個人的な情報に関しては、予め管理者が取得するようにしてもよいが、例えば、勤務者自身が、携帯端末などを用いて、勤務者に対する負荷情報として入力するようにしてもよい。
【０１４４】
（４−１）実施の形態４の勤務状態評価システムは、入力部１０に入力するデータに、職場の属性データと勤務者属性データとを含む特性データが含まれ、負荷妥当性評価部２２ｂと満足度評価部２２ｃとの少なくとも一方は、特性データに基づく評価を加える。
【０１４５】
したがって、勤務計画や勤務実績の負荷妥当性や満足度の評価結果と、職場の特性や各勤務者の特性の情報を組み合わせて分析することにより、勤務の負荷や満足度の評価を、よりきめ細かに行うことができる。これにより、勤務状態と、家庭状況、個人の状況等の特性との調和を図る新規な勤務状態評価システムを提供できる。そして、勤務の負荷や満足度と、職場の環境を特徴づける特性や各スタッフを特徴づける特性との相関を把握できるため、勤務計画の改善に有効な情報（評価結果）を取得して、適切な改善を図ることができる。
【０１４６】
具体的には、職場属性データとして、病床種別、病棟の病床数、病床数を用いてこれらの違いを評価に反映するようにしたため、これらを考慮しないものと比較して、きめの細かな評価が可能である。また、このような細かな分析に基づいて、より適切な改善を行うことが可能である。
【０１４７】
さらに、勤務者属性データとして、契約形態、資格、経験年数、通勤時間、夜勤希望の度合い、性別、年齢、婚姻状況、子供の有無、介護者の有無等を含み、これらの特性の違いを評価に反映するようにしたため、これらを考慮しないものと比較して、きめの細かな評価が可能である。また、このような細かな分析に基づいて、より適切な改善を行うことが可能である。
【０１４８】
なお、実施の形態４では、職場の特性や勤務者の特性に基づく評価を加えた例を示したが、さらに、実際の勤務者の身体的な情報や、事故に至る可能性のあった出来事もしくはその発見（以下、ヒヤリハットと称する）の発生の情報と勤務計画及び評価結果と組み合わせて、勤務者の身体的なトラブルやヒヤリハットの発生を予測し、これを未然に防ぐことも可能である。
【０１４９】
ここで、身体的な情報として、心拍数に関する情報や、主観的な疲労度の情報を用いることができる。なお、主観的な疲労度の情報は、例えば、疲労感ＶＡＳ（Visual Analogue Scale）や、Numerical Rating Scale（NRS）を用いた疲労の評価を用いることができる。これらの心拍数の情報や、疲労度の情報は、毎日のある一定の頻度で取得した時系列データとして読み込む。そして、その変化量と疲労蓄積の変化量（疲労蓄積曲線の導関数）を比較することにより、どの勤務計画のシフトの並びが主観的な疲労感の増大に影響しているのかを知ることができる。
【０１５０】
さらに、ヒヤリハットの発生日時と疲労蓄積曲線の発生日時前後の値の比較により、疲労蓄積値に対するヒヤリハット発生の危険率を計算できる。そして、ヒヤリハットの発生日時及びその前の任意の区間の疲労蓄積曲線を取り出し、疲労蓄積曲線毎のヒヤリハット発生頻度を記録し蓄積する。さらに、蓄積されたデータに基づき、類似の疲労蓄積曲線を含む勤務計画に対して、ヒヤリハット発生の可能性があることを事前に発見することが可能となる。
【０１５１】
加えて、このような疲労蓄積とヒヤリハットの発生との関連性に加え、負荷妥当性や満足度の評価結果との関連性を蓄積し、勤務計画の負荷妥当性や満足度の評価結果を得た際に、併せて、ヒヤリハットの発生の可能性がある場合には、その旨、報せるようにすることができる。
【０１５２】
以上、図面を参照して、本発明の実施の形態を詳述してきたが、具体的な構成は、この実施の形態に限らず、本発明の要旨を逸脱しない程度の設計的変更は、本発明に含まれる。
【０１５３】
例えば、実施の形態では、病院の勤務者の勤務状態を評価する例を示したが、勤務場所としては、病院に限定されるものではない。要は、勤務時間帯が異なる勤務シフトを有する職場であれば、例えば、工場、飲食店、警察、消防署等の病院以外の職場の勤務負荷評価に適用することができる。
【０１５４】
また、実施の形態では、出力部として、管理者が使用するディスプレイ画面を示したが、これに限定されるものではない。例えば、プリントアウトにより出力したり、記憶媒体に出力したり、通信ネットワークＮＷを介して他の管理用のサーバやあるいは勤務者が所持する携帯端末等に出力したりすることができる。また、評価対象として、勤務者が、個人的に自身の負荷妥当性や満足度を客観的に評価することも可能である。その場合、評価結果を、勤務者個人のパーソナルコンピュータや携帯端末に出力し表示するようにしてもよい。
【０１５５】
実施の形態では、負荷を評価するための負荷評価項目として、勤務間隔、夜勤回数、連続夜勤回数、夜勤後休憩、土日休回数、早朝出勤回数、連続勤務回数、逆循環回数、拘束時間を示した。また、満足度を評価するための満足度評価項目として、休日回数、勤務希望回数、勤務希望公平性、勤務変更回数、勤務変更公平性、夜勤回数公平性、夜勤回数、土日休公平性、休日公平性を示した。しかし、これらは一例であり、それぞれ、負荷を評価可能な項目、満足度を評価可能な項目であれば、これ以外のデータを用いてもよい。また、これらの各項目は、勤務場所として病院を例に挙げた場合の項目であり、他の勤務場所においては、それぞれに、任意に最適な項目を用いることができる。
【０１５６】
また、負荷妥当性の評価として、全体の平均値を偏差値５０として、比較対象の値との偏差を評価値とした例を示したが、母集団の値と評価対象の値との比較に基づいて評価するものであれば、実施の形態で示したものに限らず、一般的な統計手法を任意に用いることができる。
【０１５７】
同様に、満足度の評価においても、実施の形態では、偏差及び分散を用いた例を示したが、評価に用いる評価項目の選択によっては、偏差、分散のいずれか一方を用いた評価を行ってもよいし、他の一般的な統計手法を用いてもよい。
【符号の説明】
【０１５８】
１０   入力部
２０   勤務状態評価演算処理部
２１   データ蓄積部
２２   評価演算部
２２ａ 母集団データ演算部
２２ｂ 負荷妥当性評価部
２２ｃ 満足度評価部
２２ｄ 総合評価部
２３   出力制御部
３０   出力部
Ａ     勤務状態評価システム
ＮＷ   通信ネットワーク
【図１】
2020095556.tif 000003
【図２】
2020095556.tif 000004
【図３】
2020095556.tif 000005
【図４】
2020095556.tif 000006
【図５Ａ】
2020095556.tif 000007
【図５Ｂ】
2020095556.tif 000008
【図５Ｃ】
2020095556.tif 000009
【図６Ａ】
2020095556.tif 000010
【図６Ｂ】
2020095556.tif 000011
【図７】
2020095556.tif 000012